(57)【特許請求の範囲】
【請求項１】
収容凹部、取付基板に取り付けられる底面、および当該底面と交差する外側面を有する絶縁ハウジングと、
前記収容凹部内に配置された第１接触端子と、
前記収容凹部内に配置された第２接触端子と、
前記収容凹部内に配置され、押圧されることにより弾性変形して前記第１接触端子と前記第２接触端子を導通する弾性導電部材と、
前記収容凹部を覆うように配置された絶縁性のカバーと、
前記第１接触端子と導通された第１外部端子と、
前記第２接触端子と導通された第２外部端子と、
前記外側面を覆うことにより水密封止するシール部と、
を備えており、
第１凹部と第２凹部が前記底面に形成されており、
前記第１外部端子は、前記第１凹部内において前記底面より突出することなく前記底面と直交する向きに前記カバーと対向する位置に配置され、かつ、前記底面に対して鋭角に傾斜する第１はんだ受け面を有しており、
前記第２外部端子は、前記第２凹部内において前記底面より突出することなく前記底面と直交する向きに前記カバーと対向する位置に配置され、かつ、前記底面に対して鋭角に傾斜する第２はんだ受け面を有している、
プッシュスイッチ。
【請求項２】
前記第１凹部と前記第２凹部は、それぞれ前記外側面に連通している、
請求項１に記載のプッシュスイッチ。
【請求項３】
前記シール部は、前記弾性導電部材と対向するように前記収容凹部を覆うカバーシートの一部である、
請求項１または２に記載のプッシュスイッチ。
【請求項４】
請求項１から３のいずれか一項に記載のプッシュスイッチと、
取付面を有する取付基板と、
を備えており、
前記プッシュスイッチの底面が前記取付面に取り付けられている、
実装基板。
【請求項５】
前記シール部は、前記取付面に接着されている、
請求項４に記載の実装基板。
【請求項６】
収容凹部、底面、および当該底面と交差する側面を有する絶縁ハウジングと、
前記収容凹部内に配置された第１接触端子と、
前記収容凹部内に配置された第２接触端子と、
前記収容凹部内に配置され、押圧されることにより弾性変形して前記第１接触端子と前記第２接触端子を導通する弾性導電部材と、
前記収容凹部を覆うように配置された絶縁性のカバーと、
前記第１接触端子と導通された第１外部端子と、
前記第２接触端子と導通された第２外部端子と、
を備えており、
第１凹部と第２凹部が前記底面に形成されており、
前記第１外部端子は、前記第１凹部内において前記底面より突出することなく前記底面と直交する向きに前記カバーと対向する位置に配置され、かつ、前記底面に対して鋭角に傾斜する第１はんだ受け面を有しており、
前記第２外部端子は、前記第２凹部内において前記底面より突出することなく前記底面と直交する向きに前記カバーと対向する位置に配置され、かつ、前記底面に対して鋭角に傾斜する第２はんだ受け面を有している、
プッシュスイッチを用意する工程と、
取付面を有する取付基板を用意する工程と、
前記プッシュスイッチの前記底面を、前記取付基板の前記取付面に取り付ける工程と、
前記プッシュスイッチの前記外側面を水密封止するようにシール部を設ける工程と、
を備えている、
プッシュスイッチの実装方法。
【発明の詳細な説明】
【技術分野】
【０００１】
本発明は、各種電子機器に使用されるプッシュスイッチ、実装基板及びプッシュスイッチ実装方法に関する。
【背景技術】
【０００２】
携帯電話等の各種小型の電子機器に用いられるプッシュスイッチが特許文献１等として知られている。近年の機器の小型化に伴いこのようなプッシュスイッチも小型化が要請されている。
【０００３】
図８に特許文献１に記載のプッシュオンスイッチ（プッシュスイッチ）の分解斜視図を示す。このプッシュスイッチ１００は、上面が開口した箱形で絶縁樹脂からなるスイッチケース１１１と、開口部の内底面の中央に固定された中央固定電極１１２と、中央固定電極１１２を中心とした対向する二箇所の位置に固定された一対の外側固定電極１１３と、その中央頂点部１１４Ａ下面が中央固定電極１１２に所定間隔をあけて対峙するようにスイッチケース１１１内に収容されている中央部が上方に膨出したドーム状の可動電極１１４と、可撓性を有してスイッチケース１１１の開口部を覆う絶縁性フィルムからなる略方形のカバーシート１１５と、を備えている。
【０００４】
このプッシュスイッチ１００は、カバーシート１１５上方から押圧操作されると、カバーシート１１５を介して下方の可動電極１１４のドーム状部分が押圧され、所定の押圧力を越えるとそのドーム状部分が節度感を伴って反転動作すると同時に中央頂点部１１４Ａ下面が中央固定電極１１２に接触し、可動電極１１４を介して外側固定電極１１３と中央固定電極１１２との間が導通したスイッチオン状態となる。一方、その操作力を除くと、可動電極１１４の自己復元力によりドーム状部分が節度感を伴って元の押圧前の状態に復元すると同時に非導通のスイッチオフ状態となる。
【先行技術文献】
【特許文献】
【０００５】
【特許文献１】特許第４４５７９１８号公報
【発明の概要】
【発明が解決しようとする課題】
【０００６】
ところで、近年の電子機器の小型化に伴ってこれら電子機器を携帯する機会が増えており、電子機器には防水性能が求められている。しかしながら、例えば特許文献１に記載の従来のプッシュスイッチ１００では、スイッチ単体での防水性能が低く、電子機器の筐体側で防水構造を持つ必要があった。
【０００７】
即ち、従来のプッシュスイッチ１００では、中央固定電極１１２及び外側固定電極１１３からの延設部分が、外部接続用の端子（外部端子）１１２Ａ，１１３Ａとして、スイッチケース１１１の対向する外側面１１１Ａ，１１１Ｂ下端からそれぞれ導出されている。そして、端子１１２Ａ，１１３Ａはその導出部の根元部から上方に向けて曲げられてJベント（略Ｊ字曲げ）形状になされている。そこで、端子１１２Ａ，１１３Ａの先端はスイッチケース１１１の側面の外側に張り出して形成されており、これら端子１１２Ａ，１１３Ａの導出部等から水が浸入し易いという問題があった。
【０００８】
従って、本発明の上記目的は上記課題を解消することに係り、高い防水性能を備えたプッシュスイッチ、取付基板及びプッシュスイッチ実装方法を提供することである。
【課題を解決するための手段】
【０００９】
本発明の上記目的は、上面に収容凹部を備え、底面が取付基板に取り付けられる絶縁ハウジングと、
前記収容凹部内に互いに離間して設けられた一対の固定電極と、
前記固定電極に対向するように前記収容凹部内に設けられたドーム状の弾性導電部材と、
前記収容凹部の開口を覆うように前記絶縁ハウジングの上面に密着されたカバーシートと、を有し、
前記弾性導電部材が弾性変形することによって、前記弾性導電部材を介して前記一対の固定電極が導通するプッシュスイッチであって、
外部回路と電気的に導通する前記固定電極の外部端子が、前記絶縁ハウジングの底面にのみ露出されており、
前記プッシュスイッチの外側面が、シール剤により覆われて水密封止されていることを特徴とするプッシュスイッチにより達成される。
【００１０】
尚、上記構成のプッシュスイッチにおいて、前記シール剤が、前記プッシュスイッチの外周部分にフィレットを形成していることが望ましい。
【００１１】
また、本発明の上記目的は、上面に収容凹部を備え、底面が取付基板に取り付けられる絶縁ハウジングと、前記収容凹部内に互いに離間して設けられた一対の固定電極と、前記固定電極に対向するように前記収容凹部内に設けられたドーム状の弾性導電部材と、前記収容凹部の開口を覆うように前記絶縁ハウジングの上面に密着されたカバーシートと、を有し、前記弾性導電部材が弾性変形することによって、前記弾性導電部材を介して前記一対の固定電極が導通するプッシュスイッチと、
前記プッシュスイッチが取り付けられる取付面を備えた取付基板と、を有し、
前記取付面に設けられた外部回路と電気的に導通する前記固定電極の外部端子が、前記絶縁ハウジングの底面にのみ露出されており、
前記プッシュスイッチの外側面が、シール剤により覆われて水密封止されていることを特徴とする実装基板により達成される。
【００１２】
また、本発明の上記目的は、上面に収容凹部を備え、底面が取付基板に取り付けられる絶縁ハウジングと、
前記収容凹部内に互いに離間して設けられた一対の固定電極と、
前記固定電極に対向するように前記収容凹部内に設けられたドーム状の弾性導電部材と、
前記収容凹部の開口を覆うように前記絶縁ハウジングに密着されたカバーシートと、を有し、
前記弾性導電部材が弾性変形することによって、前記弾性導電部材を介して前記一対の固定電極が導通するプッシュスイッチであって、
外部回路と電気的に導通する前記固定電極の外部端子が、前記絶縁ハウジングの底面にのみ露出されており、
前記カバーシートが、前記絶縁ハウジングの上面と外側面とを覆って水密封止していることを特徴とするプッシュスイッチにより達成される。
【００１３】
また、本発明の上記目的は、上面に収容凹部を備え、底面が取付基板に取り付けられる絶縁ハウジングと、前記収容凹部内に互いに離間して設けられた一対の固定電極と、前記固定電極に対向するように前記収容凹部内に設けられたドーム状の弾性導電部材と、前記収容凹部の開口を覆うように前記絶縁ハウジングに密着されたカバーシートと、を有し、前記弾性導電部材が弾性変形することによって、前記弾性導電部材を介して前記一対の固定電極が導通するプッシュスイッチと、
前記プッシュスイッチが取り付けられる取付面を備えた取付基板と、を有し、
前記取付面に設けられた外部回路と電気的に導通する前記固定電極の外部端子が、前記絶縁ハウジングの底面にのみ露出されており、
前記カバーシートが、前記取付面に取付けられた前記絶縁ハウジングの上面と外側面とを覆っていることを特徴とする実装基板により達成される。
【００１４】
また、本発明の上記目的は、上面に収容凹部を備え、底面が取付基板に取り付けられる絶縁ハウジングと、前記収容凹部内に互いに離間して設けられた一対の固定電極と、前記固定電極に対向するように前記収容凹部内に設けられたドーム状の弾性導電部材と、前記収容凹部の開口を覆うように前記絶縁ハウジングの上面に密着されたカバーシートと、を有し、前記弾性導電部材が弾性変形することによって、前記弾性導電部材を介して前記一対の固定電極が導通するプッシュスイッチを取付基板の取付面に実装するためのプッシュスイッチ実装方法であって、
前記取付面に設けられた外部回路と電気的に導通する前記固定電極の外部端子が前記絶縁ハウジングの底面にのみ露出された前記プッシュスイッチを前記取付面に実装する実装工程と、
前記プッシュスイッチの外周部分にシール剤を塗布し、前記プッシュスイッチの外周部分と前記取付面との間を水密封止するシール工程と、
を有することを特徴とするプッシュスイッチ実装方法により達成される。
【発明の効果】
【００１５】
本発明に係るプッシュスイッチによれば、前記固定電極の外部端子が、前記絶縁ハウジングの底面にのみ露出されている。即ち、従来のプッシュスイッチのようにＪベント形状やガルウィング形状等の複雑な形状に形成された外部端子が、絶縁ハウジングの外側面から張り出すことがない。
そこで、プッシュスイッチの外側面をシール剤によって覆う際、絶縁ハウジングの外側面から大きく張り出した外部端子全体にシール剤を塗布する必要が無く、塗布作業性が低下しない。また、絶縁ハウジングの外側面が単純な外形形状となることで、シール剤の接着性も確保し易い。
従って、本発明に係るプッシュスイッチは、高い防水性能を備えることができる。
【図面の簡単な説明】
【００１６】
【図１】本発明の一実施形態に係るプッシュスイッチが実装された実装基板の部分斜視図である。
【図２】図１に示したプッシュスイッチのII−II断面矢視図である。
【図３】図１に示したプッシュスイッチの分解斜視図である。
【図４】図１に示したプッシュスイッチを示す図であり、（ａ）は上面図、（ｂ）は底面図、（ｃ）は側面図である。
【図５】図２に示したプッシュスイッチにおけるＡ部の拡大断面図である。
【図６】図１に示したプッシュスイッチの底面図である。
【図７】本発明の他の実施形態に係るプッシュスイッチが実装された実装基板の部分斜視図である。
【図８】従来技術に係るプッシュスイッチの分解斜視図である。
【発明を実施するための形態】
【００１７】
以下、添付図面に基づいて本発明の一実施形態に係るプッシュスイッチ、実装基板及びプッシュスイッチ実装方法を詳細に説明する。
本実施形態に係る実装基板１０は、図１に示すように、後述する本実施形態のプッシュスイッチ１と、このプッシュスイッチ１が取り付けられる取付面９ａを備えた取付基板（例えば、プリント配線基板）９とを有する。尚、取付基板９の取付面９ａには、外部回路を構成する引き出し配線（図示せず）が形成されている。
【００１８】
本実施形態のプッシュスイッチ１は、図１乃至図４に示すように、上面２ｂに収容凹部２ａを備え、底面２ｃが取付基板９に取り付けられる絶縁ハウジング２と、収容凹部２ａ内に互いに離間して設けられた第１固定電極３及び第２固定電極４（一対の固定電極）と、これら第１固定電極３及び第２固定電極４に対向するように収容凹部２ａ内に設けられ、その開口面側に向かって凸状となるように配置されたドーム状のクリックバネ（弾性導電部材）６と、収容凹部２ａの開口を覆って絶縁ハウジング２の上面２ｂ及びクリックバネ６の上面を保護するように絶縁ハウジング２の上面２ｂに密着されたカバーシート７と、を有する。更に、プッシュスイッチ１の外周部分（外側面）１ａは、エポキシ系樹脂等のシール剤５により覆われて水密封止されている。
【００１９】
絶縁ハウジング２は薄い箱形の絶縁樹脂部材であり、その上面２ｂには収容凹部２ａが形成されている。収容凹部２ａは、その中に収容されるクリックバネ６の移動を規制するように、クリックバネ６の外形と略同様の平面視略長円形状に形成されている。
【００２０】
クリックバネ６は、図２及び図３に示すように、上部に凸状のドーム状をなしており、弾性変形が可能な導電性金属部材である。また、クリックバネ６の両端部は、収容凹部２ａに露出された第２固定電極４の一対の接触端子４ａと接触した状態で収容凹部２ａ内に配置されている。
【００２１】
このクリックバネ６に外部から何ら荷重が作用していない通常状態では、クリックバネ６の頂部は第１固定電極３の接触端子３ａから離間しており、第１固定電極３と第２固定電極４とは導通せず、プッシュスイッチ１はＯＦＦの状態である。
一方、クリックバネ６の頂部が下方に押圧された押圧状態では、クリックバネ６の頂部が第１固定電極３の接触端子３ａと接触するようにクリックバネ６が弾性変形し、クリックバネ６を介して第１固定電極３と第２固定電極４とが導通してプッシュスイッチ１はＯＮの状態となる。
【００２２】
カバーシート７は、クリックバネ６の上部に設けられた可撓性を有する絶縁性のフィルムである。クリックバネ６の頂部を押圧する際には、カバーシート７もクリックバネ６の変形に応じて弾性変形する。また、カバーシート７は、絶縁ハウジング２の収容凹部２ａの開口を覆うことで、絶縁ハウジング２の収容凹部２ａに外部から埃や水分等が侵入することを防止し、クリックバネ６や第１固定電極３及び第２固定電極４の腐食を防止している。このカバーシート７は、ポリイミド等の樹脂から形成することができる。カバーシート７の裏面は、接着層を介して絶縁ハウジング２の上面２ｂと接着されている。
【００２３】
また、カバーシート７の表面の略中央部分であって第１固定電極３の接触端子３ａに対応する位置には、操作用突起８が形成されている。操作用突起８は、カバーシート７の表面からクリックバネ６と反対側に突出するように設けられている。
【００２４】
クリックバネ６の頂部を押圧してプッシュスイッチ１をＯＮの状態にする場合、ボタン等の押圧面積の大きな押圧部材を用いて面積の小さい操作用突起８の先端部を介してクリックバネ６の頂部を押圧することで、押圧部材による押圧力を集中させてクリックバネ６の頂部に大きな応力を作用させることができる。
したがって、軽く押圧部材を押圧しても、操作用突起８で応力を集中させるので、確実にクリックバネ６を弾性変形させることができる。また、押圧部材とプッシュスイッチ１との相対位置が多少ずれても確実に押圧動作を実現させることができる。
【００２５】
第１固定電極３及び第２固定電極４は、図２乃至図６に示すように、それぞれ収容凹部２ａに露出しクリックバネ６に接触可能な接触端子３ａ，４ａと、絶縁ハウジング２の底面２ｃにのみ露出して取付基板９に設けられた引き出し配線と接続される外部端子３ｂ，４ｂとを備える。
【００２６】
第１固定電極３は、上面視で略Ｔ字状の金属部材である。第１固定電極３は、収容凹部２ａの底面の中央に露出するように設けられた接触端子３ａと、接触端子３ａから延びて絶縁ハウジング２に潜り込む延設部分に設けられて絶縁ハウジング２の底面２ｃに露出する一対の外部端子３ｂとを有し、絶縁ハウジング２にインサート成形されている。
【００２７】
接触端子３ａは、絶縁ハウジング２の上面側に凸形状に絞り形成されており、クリックバネ６を押圧した際に、クリックバネ６の頂部が確実に接触端子３ａに接触するように構成されている。
外部端子３ｂは、絶縁ハウジング２の底面側に凸形状に絞り形成されており、プッシュスイッチ１が取付基板９に実装された際に、外部端子３ｂが取付面９ａに設けられた引き出し配線に近接するように構成されている。即ち、この外部端子３ｂの突出高さは、先端が絶縁ハウジング２の底面２ｃから突出しないように設定される。
【００２８】
第２固定電極４は、上面視で略Ｕ字状の金属部材である。第２固定電極４は、収容凹部２ａの底面上の周辺領域に露出するように設けられた一対の接触端子４ａと、各接触端子４ａから延びて絶縁ハウジング２に潜り込む連設部分に設けられて絶縁ハウジング２の底面２ｃに露出する一対の外部端子４ｂとを有し、絶縁ハウジング２にインサート成形されている。
【００２９】
接触端子４ａは、絶縁ハウジング２の上面側に凸形状に絞り形成されており、クリックバネ６の端部が確実に接触端子４ａに接触するように構成されている。
外部端子４ｂは、絶縁ハウジング２の底面側に凸形状に絞り形成されており、プッシュスイッチ１が取付基板９に実装された際に、外部端子４ｂが取付面９ａに設けられた引き出し配線に近接するように構成されている。即ち、この外部端子４ｂの突出高さは、先端が絶縁ハウジング２の底面２ｃから突出しないように設定される。
【００３０】
本実施形態の外部端子３ｂ及び外部端子４ｂは、所定の外形形状を有する平板状の導電部材からなる第１固定電極３及び第２固定電極４の所定部位を凸形状に絞り形成するだけで形成される。そこで、第１固定電極３及び第２固定電極４の端子形状が単純な構造となり、複雑な成形金型を使用する必要がなくなるので、第１固定電極３及び第２固定電極４の製造コストを下げることができる。
尚、これら第１固定電極３及び第２固定電極４は、絶縁ハウジング２と共に一体的にインサート成形で形成されるので、プッシュスイッチ１がはんだ付けの際等に加熱されても第１固定電極３や第２固定電極４が変形する虞が少ない。
【００３１】
また、外部端子３ｂ及び外部端子４ｂは、底面側に凸の球面状に形成されており、取付基板９の取付面９ａとの間に鋭角の角度を持つ傾斜面（凹面）を備えた空間を形成する。そして、プッシュスイッチ１を取付基板９に取り付ける際には、図５に示すように、この鋭角の角度を有する傾斜面を備えた空間に、はんだの付着面積が大きなはんだフィレットＰを形成することができるので、はんだ付け強度が向上する。また、絶縁ハウジング２に横方向（絶縁ハウジング２の底面２ｃと平行な方向）の力が作用しても、外部端子３ｂ，４ｂの周囲に形成された凹面を有する円環状のはんだフィレットＰがこの力を支承するので、絶縁ハウジング２が取付基板９から脱落する虞が少ない。
【００３２】
そこで、本実施形態に係るプッシュスイッチ１を備えた実装基板１０は、取付基板９の取付面９ａに設けられた引き出し配線と、絶縁ハウジング２の底面２ｃにのみ露出された外部端子３ｂ，４ｂとをはんだ付けして電気的に導通することにより、上記プッシュスイッチ１を取付面９ａに実装する実装工程と、プッシュスイッチ１の外周部分１ａにシール剤５を塗布し、プッシュスイッチ１の外周部分１ａと取付面９ａとの間を水密封止するシール工程と、を有するプッシュスイッチ実装方法により製造される。
【００３３】
図３，４及び図６に示すように、プッシュスイッチ１における絶縁ハウジング２の底面２ｃには、外部端子３ｂ及び外部端子４ｂと取付基板９の取付面９ａとの間にそれぞれ画成される空間を絶縁ハウジング２の外側面２ｄに連通させるための凹部２ｅが設けられている。
そこで、上記実装工程においてはんだ付けする時には、絶縁ハウジング２の側方からはんだフィレットＰが該空間に良好に形成されているか否かを観察することができる。したがって、はんだ付けの良否を絶縁ハウジング２の側方から簡単に確認することができるので、良品検査の効率を向上させることが出来る。なお、凹部２ｅの形状は、該空間をハウジング１の側方外側に連通させる形状であれば、どの様な形状でも良いことは勿論である。
【００３４】
また、本実施形態の係るプッシュスイッチ１によれば、第１固定電極３及び第２固定電極４の外部端子３ｂ，４ｂが、絶縁ハウジング２の底面２ｃにのみ露出されている。また、絶縁ハウジング２の外側面２ｄには、インサート品である第１固定電極３及び第２固定電極４を絶縁ハウジング２内にインサート成形する為、金型内へフープ供給する為に使用したつなぎ部を切断した痕の切断部４ｄが僅かに突出しているだけである。
即ち、図８に示した従来のプッシュスイッチ１００のように、複雑なＪベント形状に形成された端子１１２Ａ，１１３Ａが、絶縁ハウジング２の外側面２ｄから張り出すことがない。
【００３５】
そこで、上記シール工程においてプッシュスイッチ１の外周部１ａをシール剤５によって覆う際、絶縁ハウジングの外側面から大きく張り出した外部端子全体にシール剤５を塗布する必要が無く、塗布作業性が低下しない。また、絶縁ハウジング２の外側面１ａが単純な外形形状となることで、図２に示すように、塗布されたシール剤５はプッシュスイッチ１の外周部分にフィレットを容易に形成することができるので、シール剤５の接着性も確保し易い。
従って、本発明に係るプッシュスイッチ１及び実装基板１０は、プッシュスイッチ１の外周部１ａをシール剤５によって覆うことで、高い防水性能を備えることができる。
【００３６】
尚、上記実施形態においては、実装工程でプッシュスイッチ１を取付基板９の取付面９ａに実装した後に、シール工程でプッシュスイッチ１の外周部１ａをシール剤５によって覆った場合について説明したが、本発明はこれに限定されるものではない。
例えば、取付基板９に実装する前のプッシュスイッチ１の外周部１ａをシール剤５により覆って水密封止することで、プッシュスイッチ１自体の防水性能を高めることができる。この場合、シール剤５に軟質のシール材を用いたり、キャリアテープに載置されたプッシュスイッチ１の外周部１ａにシール剤５を塗布してフィレットを形成したりすることで、予めシール剤５を設けたプッシュスイッチ１を取付基板９に実装した際の取付面９ａとの隙間の防水性も確保することができる。
【００３７】
図７は、本発明の他の実施形態に係るプッシュスイッチ２１が実装された実装基板２０の部分斜視図である。
実装基板２０は、プッシュスイッチ２１と、このプッシュスイッチ２１が取り付けられる取付面９ａを備えた取付基板９とを有する。尚、本実施形態のプッシュスイッチ２１は、上記実施形態のプッシュスイッチ１におけるカバーシート７に換えてカバーシート２７を用いた以外は同様の構成であるので、他の構成部材については同符号を付して詳細な説明は省略する。
【００３８】
本実施形態のプッシュスイッチ２１に係るカバーシート２７は、裏面の接着層を介して絶縁ハウジング２の上面２ｂ及び外側面２ｄと接着されることで、該絶縁ハウジング２の上面２ｂと外側面２ｄとを覆って水密封止している。
即ち、第１固定電極３及び第２固定電極４の外部端子３ｂ，４ｂが、絶縁ハウジング２の底面２ｃにのみ露出されており、図８に示した従来のプッシュスイッチ１００のように、複雑なＪベント形状に形成された端子１１２Ａ，１１３Ａが、絶縁ハウジング２の外側面２ｄから張り出すことがない。
【００３９】
そこで、絶縁ハウジング２の上面２ｂ及び外側面２ｄにカバーシート２７を接着する際、絶縁ハウジングの外側面から大きく張り出した外部端子が邪魔となって接着作業性が低下することがない。また、絶縁ハウジング２の外側面２ｄが単純な外形形状となることで、外側面２ｄにカバーシート２７を容易に接着することができるので、カバーシート２７の接着性も確保し易い。
【００４０】
また、カバーシート２７は、取付基板９に実装する前の絶縁ハウジング２に予め接着してプッシュスイッチ１００自体の防水性能を高めても良く、取付基板９に実装された絶縁ハウジング２及び周囲の取付面９ａに接着して実装基板２０の防水性能を高めても良い。
従って、本発明に係るプッシュスイッチ２１及び実装基板２０は、絶縁ハウジング２の外周部をカバーシート２７によって覆うことで、高い防水性能を備えることができる。
【００４１】
尚、本発明のプッシュスイッチに係る絶縁ハウジング、固定電極、弾性導電部材、カバーシート、シール剤及び取付基板等の構成部材は、上記各実施形態の構成に限定されるものではなく、本発明の趣旨に基づいて種々の形態を採りうることは云うまでもない。
例えば、上記実施形態においては、上面視略Ｔ字状の第１固定電極３と略Ｕ字状の第２固定電極４を用いたが、外部端子が絶縁ハウジングの底面にのみ露出される構成であれば固定電極の形状はこれに限らず種々の形状とすることができる。
また、シール剤としては、耐熱性を有して塗布可能なものであれば、軟質シール材や硬質シール材に関わらず種々のシール材を用いることができる。
【符号の説明】
【００４２】
１  プッシュスイッチ、２  絶縁ハウジング、２ａ  収容凹部、２ｂ  上面、２ｃ  底面、２ｄ  外側面、２ｅ  凹部、３  第１固定電極（固定電極）、４  第２固定電極（固定電極）、３ａ，４ａ  接触端子、３ｂ，４ｂ  外部端子、５  シール剤、６  クリックバネ（弾性導電部材）、７  カバーシート、９  取付基板、９ａ  取付面、Ｐ  はんだフィレット
【図１】
0005696423.tif 000002
【図２】
0005696423.tif 000003
【図３】
0005696423.tif 000004
【図４】
0005696423.tif 000005
【図５】
0005696423.tif 000006
【図６】
0005696423.tif 000007
【図７】
0005696423.tif 000008
【図８】
0005696423.tif 000009